(57)【要約】【課題】  画像再構成演算処理中に撮影が開始されても画像再構成演算を停止することなく継続可能なＸ線ＣＴ装置及び演算装置を提供する。【解決手段】  Ｘ線ＣＴ装置１の演算装置２０２は、スキャナ１０で取得した透過Ｘ線データ（ローデータ）を記憶する記憶装置を複数備える（第１ローデータ記憶装置２３１、第２ローデータ記憶装置２３２）。また画像再構成演算を実行する再構成演算器を複数備える（スキャンリコン演算器２２５、ポストリコン演算器２２６）。演算装置２０２は、ローデータ読込み切替器２２３によって同時に実行する再構成演算処理数に応じてローデータの読込み先とするローデータ記憶装置２３１、２３２を切り替える。これにより、ポストリコン処理中にスキャンが開始されてもポストリコンを継続することが可能となる。【選択図】図３
2018007947.tif 000002
【特許請求の範囲】
【請求項１】
被検体にＸ線を照射するＸ線源と前記Ｘ線源に対向配置され被検体を透過したＸ線である透過Ｘ線を検出するＸ線検出器とを搭載し、前記被検体の周囲の各角度方向から透過Ｘ線量のデータであるローデータを取得するスキャナと、
前記ローデータを記憶する複数の記憶装置と、
前記記憶装置からローデータを読み込んで画像を再構成する複数の再構成演算器と、
前記複数の再構成演算器が同時に実行する再構成演算数に応じて前記ローデータの読込み先とする前記記憶装置を切り替える切替部と、
を備えることを特徴とするＸ線ＣＴ装置。
【請求項２】
前記複数の記憶装置のうちいずれの記憶装置を読込み先とするかを判定する判定部を更に備え、
前記切替部は前記判定部による判定結果に基づいて前記透過Ｘ線データの読込み先とする記憶装置を切り替えることを特徴とする請求項１に記載のＸ線ＣＴ装置。
【請求項３】
前記判定部は、前記記憶装置のデータ転送能力の差異に基づいていずれの記憶装置を読込み先とするかを判定することを特徴とする請求項２に記載のＸ線ＣＴ装置。
【請求項４】
前記判定部は、前記スキャナにおいて撮影中に再構成演算の待機時間の長さに基づいていずれの記憶装置を読込み先とするかを判定することを特徴とする請求項２に記載のＸ線ＣＴ装置。
【請求項５】
前記判定部は、前記記憶装置の故障の有無に基づいていずれの記憶装置を読込み先とするかを判定することを特徴とする請求項２に記載のＸ線ＣＴ装置。
【請求項６】
前記判定部は、前記記憶装置の動作統計情報に基づいていずれの記憶装置を読込み先とするかを判定することを特徴とする請求項２に記載のＸ線ＣＴ装置。
【請求項７】
前記切替部は、スキャナ１回転を複数ブロックに分割したブロックビュー単位にローデータの読込み先とする記憶装置を切り替えることを特徴とする請求項１から請求項６のいずれかに記載のＸ線ＣＴ装置。
【請求項８】
再構成演算の実行状態及び読込み先とする記憶装置をユーザに通知するユーザインターフェースを備えることを特徴とする請求項１〜請求項７のいずれかに記載のＸ線ＣＴ装置。
【請求項９】
ローデータを記憶する複数の記憶装置と、
前記記憶装置からローデータを読み込んで画像を再構成する複数の再構成演算器と、
前記複数の再構成演算器が同時に実行する再構成演算数に応じて前記ローデータの読込み先とする前記記憶装置を切り替える切替部と、
を備えることを特徴とする演算装置。
【発明の詳細な説明】
【技術分野】
【０００１】
本発明は、Ｘ線ＣＴ装置及び演算装置に関し、詳細には、複数のローデータ記憶装置を有する演算装置を用いた画像再構成演算に関する。
【背景技術】
【０００２】
Ｘ線ＣＴ装置により取得したローデータ（投影データ）は記憶装置に記憶され、撮影時に設定された再構成条件とは別の再構成条件で画像再構成演算に用いられることがある。例えば特許文献１には、スキャン計画時に設定されたスキャン条件に従って被検体をスキャンして投影データセットを収集し、投影データ記憶回路に記憶した後、スキャン計画時に設定された再構成条件に従って、即時的に、記憶された投影データセットに基づいて、３次元領域内のＣＴ値分布としてのボリュームデータを再構成し、その後、スキャン計画時に設定された即時再構成処理のための再構成条件とは異なる再構成条件で再構成処理を行うことが記載されている。
【０００３】
このような、撮影時とは別に行う画像再構成処理を、本明細書ではポストリコン処理と呼ぶ。Ｘ線ＣＴ装置の演算装置には、予定されている撮影とともに複数のポストリコン処理がキュー登録され、それらが順番に実行される。一方で、病院施設の撮影ワークフローを滞らせないようにするため、ポストリコン処理の実行中であっても、次の撮影を開始する場合がある。この場合は、撮影を優先するためにポストリコン処理を中断し、撮影終了後に、中断されたポストリコン処理を再開させるといった手順をとることが一般に行われている。
【先行技術文献】
【特許文献】
【０００４】
【特許文献１】特開２００５−２６１９３２号公報
【発明の概要】
【発明が解決しようとする課題】
【０００５】
しかしながら、上述したようにポストリコンの途中でスキャンが開始された場合は実行中のポストリコンを一時停止状態とするため、処理が滞ることになるという問題があった。
【０００６】
本発明は、以上の問題点に鑑みてなされたものであり、その目的とするところは、画像再構成演算処理中に撮影が開始されても実行中の画像再構成演算を停止することなく継続可能なＸ線ＣＴ装置及び演算装置を提供することである。
【課題を解決するための手段】
【０００７】
前述した目的を達成するために第１の発明は、被検体にＸ線を照射するＸ線源と前記Ｘ線源に対向配置され被検体を透過したＸ線である透過Ｘ線を検出するＸ線検出器とを搭載し、前記被検体の周囲の各角度方向から透過Ｘ線量のデータであるローデータを取得するスキャナと、前記ローデータを記憶する複数の記憶装置と、前記記憶装置からローデータを読み込んで画像を再構成する複数の再構成演算器と、前記複数の再構成演算器が同時に実行する再構成演算数に応じて前記ローデータの読込み先とする前記記憶装置を切り替える切替部と、を備えることを特徴とするＸ線ＣＴ装置である。
【０００８】
第２の発明は、ローデータを記憶する複数の記憶装置と、前記記憶装置からローデータを読み込んで画像を再構成する複数の再構成演算器と、前記複数の再構成演算器が同時に実行する再構成演算数に応じて前記ローデータの読込み先とする前記記憶装置を切り替える切替部と、を備えることを特徴とする演算装置である。
【発明の効果】
【０００９】
本発明によれば、画像再構成演算処理中に撮影が開始されても実行中の画像再構成演算を停止することなく継続可能なＸ線ＣＴ装置及び演算装置を提供できる。これにより、病院施設におけるＸ線ＣＴ装置の撮影スループットを向上できる。
【図面の簡単な説明】
【００１０】
【図１】Ｘ線ＣＴ装置１の全体構成を示す外観図
【図２】Ｘ線ＣＴ装置１の内部構成を示すブロック図
【図３】演算装置２０２の構成及びローデータの読込み先の切替えを示すブロック図
【図４】演算装置２０２における画像再構成処理の手順を示すフローチャート
【図５】撮影を行わずにポストリコン演算器２２６のみが動作している状態の演算装置２０２を示す図
【図６】ポストリコン動作中に撮影が開始された場合の演算装置２０２を示す図
【図７】ブロックビュー分割について説明する図
【図８】リコンキューの実行状態を操作卓画面に表示する例を示す図
【図９】３つ以上のローデータ記憶装置２３１、２３２、…を配置した演算装置２０２Ａを示す図
【発明を実施するための形態】
【００１１】
以下、図面に基づいて本発明の好適な実施形態を詳細に説明する。まず、図１及び図２を参照しながら、Ｘ線ＣＴ装置１のハードウエア構成を説明する。
【００１２】
図１及び図２に示すように、Ｘ線ＣＴ装置１は、大別してスキャナ１０及び操作ユニット２０を備える。スキャナ１０は、ガントリ１００及び寝台１０１を有する。ガントリ１００は、Ｘ線管１０２、Ｘ線検出器１０３、コリメータ１０４、高電圧発生装置１０５、データ収集装置１０６、及びガントリ駆動装置１０７等を有する。操作ユニット２０は、中央制御装置２００、入出力装置２０１、及び演算装置２０２等を有する。
【００１３】
操作者は、操作ユニット２０の入出力装置２０１を用いて撮影条件や再構成条件等を入力する。入出力装置２０１は、ＣＴ画像等を表示する表示装置２１１、マウス、トラックボール、キーボード、タッチパネル等の入力装置２１２、データを記憶する記憶装置２１３等を含む。
【００１４】
中央制御装置２００は、ＣＰＵ（Central Processing Unit）、ＲＯＭ（Read Only
Memory）、ＲＡＭ（Random Access Memory）等を備えたコンピュータであり、Ｘ線ＣＴ装置１全体の動作を制御する。中央制御装置２００は、撮影条件や再構成条件に基づいて撮影に必要な制御信号をスキャナ１０の各装置に送信する。また中央制御装置２００は、画像再構成に必要な制御信号を演算装置２０２に送信する。
【００１５】
中央制御装置２００からの撮影スタート信号を受けて撮影が開始されると、高電圧発生装置１０５はＸ線管１０２に所定の大きさの管電圧、管電流を印加する。Ｘ線管１０２は、印加された管電圧、管電流に応じたＸ線を被検体３に照射する。
【００１６】
Ｘ線管１０２から照射されるＸ線は、コリメータ１０４によって照射領域が制限される。コリメータ１０４の開口幅は中央制御装置２００からの制御信号に基づいて制御される。
【００１７】
Ｘ線管１０２から照射され、コリメータ１０４によって照射領域が制限されたＸ線は被検体３内の各組織においてＸ線減弱係数に応じて吸収（減衰）され、被検体３を透過し、Ｘ線管１０２に対向する位置に配置されたＸ線検出器１０３によって検出される。
【００１８】
寝台１０１は、被検体３を寝載する天板、上下動装置、及び天板駆動装置を備え、中央制御装置２００からの制御信号に基づき天板高さを上下に昇降したり、体軸方向へ前後動したり、体軸と垂直方向かつ床面に対し平行な方向（左右方向）へ左右動する。撮影中において寝台１０１は、中央制御装置２００により決定された寝台移動速度及び移動方向で天板を移動させる。
【００１９】
ガントリ駆動装置１０７は、中央制御装置２０５からの制御信号に基づいて、ガントリ１００の回転盤を周回させる。
【００２０】
Ｘ線検出器１０３は、例えばシンチレータとフォトダイオードの組み合わせによって構成されるＸ線検出素子群をチャンネル方向（周回方向）及び列方向（体軸方向）に２次元配列したものである。Ｘ線検出器１０３は、被検体３を介してＸ線管１０２に対向するように配置される。Ｘ線検出器１０３はＸ線管１０２から照射されて被検体３を透過したＸ線である透過Ｘ線を各Ｘ線検出素子によって検出し、検出した強度に応じた電気信号をデータ収集装置１０６に出力する。
【００２１】
データ収集装置１０６は、Ｘ線検出器１０３の個々のＸ線検出素子により検出された透過Ｘ線量に応じた電気信号を収集し、デジタル信号に変換し、透過Ｘ線情報（ローデータ）として操作ユニット２０の演算装置２０２に順次出力する。
【００２２】
ここで、図３を参照して本発明に係る演算装置２０２の構成について説明する。図３に示すように演算装置２０２は、スキャン処理演算器２２１、ローデータ記憶装置群２２２、ローデータ読込み切替器２２３、ローデータ切替判定器２２４、スキャンリコン演算器２２５、ポストリコン演算器２２６、及び画像処理装置２２７を備える。
【００２３】
なお、以下の説明において、ポストリコンとは、撮影時に設定された再構成条件とは異なる条件で行われる画像再構成演算であり、スキャンリコンとは、撮影後、即時に行われる画像再構成演算である。
【００２４】
演算装置２０２にてポストリコン処理を継続しながらスキャンリコン処理を行うには、ローデータ記憶装置（及び画像再構成演算器）が２系統必要となる。そこで、第１の実施の形態において、ローデータ記憶装置群２２２は２つのローデータ記憶装置（第１ローデータ記憶装置２３１、第２ローデータ記憶装置２３２）を配置する。また画像再構成演算器として、スキャンリコン演算器２２５及びポストリコン演算器２２６を備える。各ローデータ記憶装置２３１、２３２は同じ種類のものである必要はなく、読み書き性能や耐久性等の特徴が異なってもよい。特に好ましい配置例としては、第１ローデータ記憶装置２３１は高速で読み書きが可能な記憶装置を用いる。例えばＳＳＤ（Solid State Drive）等が好適である。他方の第２ローデータ記憶装置２３２はデータのバックアップ用に適したＨＤＤ（Hard Disc Drive）を使用する。ＨＤＤは、読み書き速度はＳＳＤより劣るが書き換え耐性が高く大容量で信頼性が高い。
【００２５】
スキャン処理ではローデータ記憶装置に高速な書き込み性能が求められる。一方、ポストリコン処理では読込み性能が求められる。そこで、このように第１ローデータ記憶装置２３１と第２ローデータ記憶装置２３２とで異なる特徴を持つ記憶装置を配置し、ローデータの読込み先を適宜切替えて使用することで、再構成演算処理の実行状態に応じて各装置の性能の特徴に適した使い分けができる。また、読み書き性能の優れたＳＳＤを２系統配置するのは高コストとなり現実的には難しいが、ＳＳＤとＨＤＤの併用はコスト面でも有効である。
【００２６】
スキャン実行中、演算装置２０２はデータ収集装置１０６からローデータを取得し、スキャン処理演算器２２１によって所定の演算処理を行って、ローデータ記憶装置群２２２の第１ローデータ記憶装置２３１に記憶する。スキャン処理演算器２２１における演算処理は、例えば対数変換や感度補正等の被検体３の断層像を再構成するために必要な投影データを作成するための演算処理である。
【００２７】
また、演算装置２０２は第１ローデータ記憶装置２３１に記憶したローデータと同じ内容のデータを複製し、第２ローデータ記憶装置２３２に記憶する。第２ローデータ記憶装置２３２へデータをコピーするタイミングは、第１ローデータ記憶装置２３１に投影データを記録する際でもよいし、第１ローデータ記憶装置２３１からデータを読み出す際でもよい。
【００２８】
スキャンリコン演算器２２５は、スキャン（撮影）後、ただちに再構成演算処理を行う再構成演算器である。スキャンリコン演算器２２５は、中央制御装置２００からスキャン実行指示があると、スキャナ１０にて取得され第１ローデータ記憶装置２３１に記憶されたローデータを読込み、スキャン時に設定した再構成条件に従って再構成演算を実行し、画像を生成する。
【００２９】
ポストリコン演算器２２６は、中央制御装置２００からのポストリコン実行指示にしたがって第１ローデータ記憶装置２３１または第２ローデータ記憶装置２３２からローデータを読込み、スキャン時に設定した再構成条件とは別の再構成条件（ポストリコン条件）に従って再構成演算を実行する。ポストリコン演算器２２６は、第１ローデータ記憶装置２３１が使用中でなければ第１ローデータ記憶装置２３１からローデータを読込むものとする。また、スキャナ１０においてスキャン（撮影）が開始されると、第１ローデータ記憶装置２３１が使用中となるためローデータの読込み先を第２ローデータ記憶装置２３２に切り替える。ローデータの読込み先の切替えは、ローデータ読込み切替器２２３により行われる。
【００３０】
ローデータ読込み切替器２２３は、スキャンリコン演算器２２５及びポストリコン演算器２２６が同時に実行する再構成演算数に応じてローデータの読込み先とする記憶装置を切り替える。具体的には、上述したようにスキャンリコンは行わずポストリコンのみを行う場合、またはスキャンリコンのみを行う場合は、ポストリコン演算器２２５またはスキャンリコン演算器２２６が第１ローデータ記憶装置２３１からローデータを読み込み可能となるように、ローデータの読込み先を切り替える。一方、ポストリコン及びスキャンリコンを同時に行う場合は、ポストリコン演算器２２６の入力を第２ローデータ記憶装置２３２に切り替え、スキャンリコン演算器２２５の入力を第１ローデータ記憶装置２３１に切り替えるものとする。
【００３１】
ローデータ切替判定器２２４は、スキャンリコン演算器２２５及びポストリコン演算器２２６が、いずれのローデータ記憶装置２３１、２３２を読込み先とするかを判定する。判定の基準は、例えば、ローデータ記憶装置２３１、２３２のデータ転送能力の差異、撮影中における再構成演算待機時間の長さ、ローデータ記憶装置２３１、２３２の故障の有無、ローデータ記憶装置２３１、２３２の稼働時間やエラー情報等の動作統計情報である。
【００３２】
判定の基準をデータ転送能力の差異とする場合は、ローデータ切替判定器２２４は、上述したようにスキャンリコン演算器２２５が優先的にデータ転送能力の高いローデータ記憶装置２３１を使用するように判定する。
【００３３】
また、判定の基準を撮影中における再構成演算（スキャンリコン）の待機時間の長さとする場合は、ローデータ切替判定器２２４は、撮影中であるが再構成演算は行わない演算待機状態において、待機時間が所定の時間より長くなった場合に、読込み先を別のローデータ記憶装置に切り替えるように判定する。
【００３４】
判定の基準を、ローデータ記憶装置２３１、２３２の故障の有無とする場合は、ローデータ切替判定器２２４は、ローデータ記憶装置２３１、２３２が故障したか否かを判定し、故障している場合は、ローデータの読込み先を故障していないローデータ記憶装置に切り替えるよう判定する。
【００３５】
判定の基準を、ローデータ記憶装置２３１、２３２の動作統計情報等とする場合は、ローデータ切替判定器２２４は複数のローデータ記憶装置２３１、２３２の稼働時間やエラー情報等の動作統計情報を評価し、各ローデータ記憶装置２３１、２３２で稼働時間やエラーの回数が偏らないように切替判定を行うものとする。これはローデータ記憶装置全体の動作寿命を延ばすためにも有効である。
【００３６】
画像処理装置２２７は、スキャンリコン演算器２２５またはポストリコン演算器２２６により作成されたＣＴ画像に対して画像処理を行う。また、画像処理後の画像を表示装置２１１に表示するとともに記憶装置２１３に保存する。
【００３７】
次に、図４〜図６を参照して、ローデータ記憶装置２３１、２３２の切替え動作について説明する。
【００３８】
中央制御装置２００は登録されているスキャン及びポストリコンのキューを参照し、順次演算装置２０２に対しスキャンまたはポストリコンの実行指示を伝達する。図４のフローチャートに示すように、ポストリコン実行指示が伝達された場合（ステップＳ１０１）、演算装置２０２のローデータ切替判定器２２４は、まず第１ローデータ記憶装置２３１が使用可能であるか否かを判定する（ステップＳ１０２）。第１ローデータ記憶装置２３１が使用可能であれば（ステップＳ１０２；Ｙｅｓ）、ローデータ読込み切替器２２３は第１ローデータ記憶装置２３１をポストリコン演算器２２６の入力とするよう切り替える。ポストリコン演算器２２６は第１ローデータ記憶装置２３１からローデータを読込み、再構成演算を実行する（ステップＳ１０３）。
【００３９】
ステップＳ１０２において、第１ローデータ記憶装置２３１が使用不可（スキャンリコン実行中等）であれば（ステップＳ１０２；Ｎｏ）、ローデータ読込み切替器２２３はポストリコン演算器２２６の入力を第２ローデータ記憶装置２３２に切り替える。ポストリコン演算器２２６は第２ローデータ記憶装置２３２からローデータを読込み、再構成演算を実行する（ステップＳ１０４）。
【００４０】
図５は、スキャンを行わずにポストリコンのみが動作しているときの演算装置２０２の状態を示すものである。ローデータ切替判定器２２４は、スキャンが実行中でないことから第１ローデータ記憶装置２３１が使用中でないことを判定し、ローデータ読込み切替器２２３によりポストリコン演算器２２６の入力を第１ローデータ記憶装置２３１に切替える。ポストリコン演算器２２６は第１ローデータ記憶装置２３１からローデータを取得して再構成演算を行う。画像処理装置２２７はポストリコン演算器２２６により再構成されたＣＴ画像に対して画像処理を行う。演算装置２０２は、画像処理後の画像を表示装置２１１に表示するとともに記憶装置２１３に保存する。
【００４１】
スキャンが開始されると（ステップＳ１０５；Ｙｅｓ）、演算装置２０２のローデータ読込み切替器２２３は、ポストリコン演算器２２６の入力をローデータ記憶装置２３２に切り替え（ステップＳ１０６）、スキャンリコン演算器２２５の入力をローデータ記憶装置２３１に切り替える（ステップＳ１０７）。そして、スキャンリコン演算器２２５はローデータ記憶装置２３１からローデータを読込みスキャンリコン（画像再構成）を実行する（ステップＳ１０８）。このとき、ポストリコン演算器２２６はローデータ記憶装置２３２からローデータを読込みポストリコンを継続している。
【００４２】
図６はポストリコン動作中にスキャンが開始されたときの演算装置２０２の状態を示すものである。ローデータ切替判定器２２４は撮影が開始されると、第１ローデータ記憶装置２３１が使用中であると判定し、ローデータ読込み切替器２２３を用いてポストリコン演算器２２６の入力を第２ローデータ記憶装置２３２に切替える。切替え後、データ収集装置１０６から入力したローデータは、まずスキャン処理演算器２２１で演算処理され、第１ローデータ記憶装置２３１に記憶される。スキャンリコン演算器２２５は第１ローデータ記憶装置２３１からローデータを読込み、スキャンリコン演算器２２５にて再構成演算（スキャンリコン）を行う。
【００４３】
一方、ポストリコン演算器２２６は、第２ローデータ記憶装置２３２からローデータを読込み、再構成演算（ポストリコン）を行う。画像処理装置２２７はスキャンリコン演算器２２５とポストリコン演算器２２６により作成された両方のＣＴ画像に対してそれぞれ画像処理を行う。また、画像処理後の画像を表示装置２１１に表示するとともに記憶装置２１３に保存する。
【００４４】
図４の説明に戻る。スキャンリコンが終了すると（ステップＳ１０９；Ｎｏ）、演算装置２０２は継続中のポストリコンが終了したか否かを判定し、ポストリコンが終了していない場合は（ステップＳ１１０；Ｎｏ）、ステップＳ１０２に戻る。スキャンが終了しスキャンリコンが実行中でないことから、ローデータ切替判定器２２４は、第１ローデータ記憶装置２３１が使用可能と判定し（ステップＳ１０２；Ｙｅｓ）、ローデータ読込み切替器２２３を用いてポストリコン演算器２２６の入力を第１ローデータ記憶装置２３１に切替える。ポストリコン演算器２２６は第１ローデータ記憶装置２３１からローデータを読込み再構成演算を行う（ステップＳ１０３）。
【００４５】
ポストリコンが終了すると（ステップＳ１１０；Ｙｅｓ）、演算装置２０２は次の登録キューを参照し、次の登録キューがある場合は（ステップＳ１１１；Ｙｅｓ）、ステップＳ１０１へ戻り、キューに従った処理を行う。例えば、次に登録されているポストリコンまたはスキャンを実行開始する。次のキューが登録されていない場合は（ステップＳ１１１；Ｎｏ）、処理を終了する。
【００４６】
なお、図４〜図６の例は、ローデータ切替判定器２２４がスキャン処理においては第１ローデータ記憶装置２３１を優先的に使用するという切替え判定を行う動作例を示したが、切替条件はこの例に限定されない。例えば、ローデータ切替判定器２２４は、上述したように、各ローデータ記憶装置２３１、２３２の書込み性能と読込性能や、故障の有無や、演算待機時間、或いは稼働時間やエラー情報等の動作統計情報等を評価して判定してもよい。
【００４７】
次に、図７を参照しながら、ポストリコン演算中に入力を切替えるタイミングについて説明する。Ｘ線ＣＴ装置１の演算装置２０２は、Ｘ線管１０２及びＸ線検出器１０３がガントリ１００の内部で半回転から一回転する都度、再構成演算処理を行うが、ローデータの読込み先の切替えはできるだけ速やかに行う必要がある。
【００４８】
そこで、ポストリコン演算器２２６は、半回転〜一回転を待たずより細かく分割したブロックビュー単位にローデータを読込み、ポストリコン再構成演算を行う。例えば、図７に示すように、１回転を８つのビューブロックに分割し、分割したビューブロック単位にローデータを読込むものとする。これにより、ローデータ切替判定器２２４は１回転または半回転を待たずにビューブロック単位に速やかにローデータの読込み先を切り替えることが可能となる。
【００４９】
なお、図７の例ではビューブロックの分割数を８分割としているが、８分割に限定されず、８分割未満或いは９分割以上としてもよい。
【００５０】
更に、本発明において、中央制御装置２００は、演算装置２０２においてローデータの読込み先の切替えが行われた場合にその旨を操作者に通知することが望ましい。通知の例としては、例えば、中央制御装置２００または演算装置２０２は、スキャン中に表示装置２１１に表示する撮影画面３００内にリコンキューＧＵＩ（Graphical User Interface）３０１を表示する。リコンキューＧＵＩ３０１では、登録キューの一覧を表示するとともに、どのキューが実行中であるかを操作者に示す。また、第１ローデータ記憶装置２３１または第２ローデータ記憶装置２３２のいずれのローデータ記憶装置２３１、２３２が利用されているかをインジケータ等により表示する。
【００５１】
図８は撮影画面３００の一部に表示されるリコンキューＧＵＩ３０１の一例を示す図である。図８は、ポストリコン実行中に撮影が開始され、ポストリコン演算器２２６の入力が第１ローデータ記憶装置２３１から第２ローデータ記憶装置２３２に切り替えられた状態（上述の図６の状態）における撮影画面３００の一例である。撮影画面３００の中にはリコンキューＧＵＩ３０１が表示される。
【００５２】
図８のリコンキューＧＵＩ３０１では、２つのポストリコンと１つのスキャンがキュー登録された状態を示している。符号３０２はキューが実行中であるか否かを示す実行状態インジケータである。実行状態インジケータ３０２は、演算器（スキャンリコン演算器２２５、ポストリコン演算器２２６）が演算を開始すると「実行中」である旨を示す。中央制御装置２００は、ローデータ切替判定器２２４から判定結果が通知されると、通知された情報に従って入出力装置２０１に実行状態を伝達し、実行状態インジケータ３０２、３０３、３０４を点灯または消灯する。
【００５３】
例えば、図６に示す状態のように、スキャン処理で第１ローデータ記憶装置２３１からローデータを読込み、ポストリコン処理で第２ローデータ記憶装置２３２からローデータを読込む場合は、図８に示すリコンキューＧＵＩ３０１のように、実行中のポストリコンキュー及びスキャンキューの欄の実行状態インジケータ３０２を「実行中」とし、実行中のポストリコンキュー欄の読込み先インジケータ３０３（「ローデータ２」）を点灯し、スキャンキュー欄の読込み先インジケータ３０４（「ローデータ１」）を点灯する。
【００５４】
以上説明したように、本発明のＸ線ＣＴ装置１は、スキャナ１０で取得した透過Ｘ線データ（ローデータ）を記憶する記憶装置を複数備える（第１ローデータ記憶装置２３１、第２ローデータ記憶装置２３２）とともに、画像再構成演算を実行する再構成演算器２２５、２２６を複数備え、同時に実行する複数の再構成演算処理数に応じてローデータの読込み先とする記憶装置を切り替える。これにより、ポストリコン処理中にスキャンが開始されてもポストリコンを継続することが可能となる。よって病院施設におけるＸ線ＣＴ装置の撮影スループットを向上させることができる。
【００５５】
なお、上述の実施形態では、ローデータ記憶装置の配置数を２つとする例を示したが、３つ以上のローデータ記憶装置を備え、同様の切替動作を行ってもよい。
【００５６】
図９は、３つ以上（Ｎ個）のローデータ記憶装置を有する演算装置２０２Ａを示している。
ローデータ読込み切替器２２３は、ポストリコン演算器２２６の入力をＮ個のローデータ記憶装置２３１、２３２、…の中から選択して切り替える。ローデータ切替判定器２２４は、上述したように、スキャン実行中であるか否か、データ転送能力の差異、演算待機状態における待機時間の長さ、記憶装置の故障の有無、各記憶装置の稼働時間及びエラー情報を含む動作統計情報等に基づいて、最適なローデータ記憶装置を判定する。
【００５７】
これにより、画像再構成演算処理（ポストリコン）中に撮影が開始されても読込み先のローデータ記憶装置を切り替えてローデータを読み出すことにより、ポストリコン演算処理を停止することなく継続可能となる。
【００５８】
以上、本発明の好適な実施形態について説明したが、本発明は、上述の実施形態に限定されるものではない。当業者であれば、本願で開示した技術的思想の範疇内において、各種の変更例または修正例に想到し得ることは明らかであり、それらについても当然に本発明の技術的範囲に属するものと了解される。
【符号の説明】
【００５９】
１・・・・・・・・・・・・・・Ｘ線ＣＴ装置
３・・・・・・・・・・・・・・被検体
１０・・・・・・・・・・・・・スキャナ
２０・・・・・・・・・・・・・操作ユニット
１００・・・・・・・・・・・・ガントリ
１０１・・・・・・・・・・・・寝台
１０２・・・・・・・・・・・・Ｘ線管
１０３・・・・・・・・・・・・Ｘ線検出器
１０４・・・・・・・・・・・・コリメータ
１０５・・・・・・・・・・・・高電圧発生装置
１０６・・・・・・・・・・・・データ収集装置
１０７・・・・・・・・・・・・ガントリ駆動装置
２００・・・・・・・・・・・・中央制御装置
２０１・・・・・・・・・・・・入出力装置
２０２・・・・・・・・・・・・演算装置
２１１・・・・・・・・・・・・表示装置
２１２・・・・・・・・・・・・入力装置
２１３・・・・・・・・・・・・記憶装置
２２１・・・・・・・・・・・・スキャン処理演算器
２２２・・・・・・・・・・・・ローデータ記憶装置群
２２３・・・・・・・・・・・・ローデータ読込み切替器
２２４・・・・・・・・・・・・ローデータ切替判定器
２２５・・・・・・・・・・・・スキャンリコン演算器
２２６・・・・・・・・・・・・ポストリコン演算器
２２７・・・・・・・・・・・・画像処理装置
２３１・・・・・・・・・・・・第１ローデータ記憶装置
２３２・・・・・・・・・・・・第２ローデータ記憶装置
３００・・・・・・・・・・・・撮影画面
３０１・・・・・・・・・・・・リコンキューＧＵＩ
３０２・・・・・・・・・・・・実行状態インジケータ
３０３、３０４・・・・・・・・読込み先インジケータ
【図１】
2018007947.tif 000003
【図２】
2018007947.tif 000004
【図３】
2018007947.tif 000005
【図４】
2018007947.tif 000006
【図５】
2018007947.tif 000007
【図６】
2018007947.tif 000008
【図７】
2018007947.tif 000009
【図８】
2018007947.tif 000010
【図９】
2018007947.tif 000011